(57)【要約】【課題】コンテンツ取得装置が外部に通知した情報に基づいて、重要度の高いコンテンツへの効率的なアクセスを提供することが可能なコンテンツ取得装置、携帯装置、サーバ、情報処理装置及び記憶媒体を提供する。【解決手段】コンテンツを取得するコンテンツ取得部と、コンテンツ取得部により取得されたコンテンツおよびコンテンツ取得装置固有の識別情報を外部に送信する送信部と、を備え、送信部により送信されたコンテンツおよび識別情報は、コンテンツ取得部によりコンテンツが取得された時刻を示す時刻情報と関連付けられてサーバが有する記憶部に記憶され、当該サーバが、情報処理装置から識別情報および時刻情報を受信した場合に、記憶部に記憶されたコンテンツから、受信した識別情報および時刻情報に関連付けられたコンテンツを検索して情報処理装置に送信する際に参照される、コンテンツ取得装置。【選択図】図１
2014054342.tif 000002
【特許請求の範囲】
【請求項１】
コンテンツを取得するコンテンツ取得部と、
前記コンテンツ取得部により取得されたコンテンツおよびコンテンツ取得装置固有の識別情報を外部に送信する送信部と、
を備え、
前記送信部により送信された前記コンテンツおよび前記識別情報は、前記コンテンツ取得部により前記コンテンツが取得された時刻を示す時刻情報と関連付けられてサーバが有する記憶部に記憶され、当該サーバが、情報処理装置から前記識別情報および前記時刻情報を受信した場合に、前記記憶部に記憶された前記コンテンツから、受信した前記識別情報および前記時刻情報に関連付けられたコンテンツを検索して前記情報処理装置に送信する際に参照される、コンテンツ取得装置。
【請求項２】
前記送信部は、前記コンテンツおよび前記識別情報を前記サーバに送信する、請求項１に記載のコンテンツ取得装置。
【請求項３】
前記送信部は、前記コンテンツ、前記識別情報および前記時刻情報を他の通信装置を介して前記サーバに送信する、請求項１に記載のコンテンツ取得装置。
【請求項４】
前記コンテンツ取得装置は、前記識別情報を周辺に位置する携帯装置に通知する通知部をさらに備える、請求項１に記載のコンテンツ取得装置。
【請求項５】
前記通知部は、前記コンテンツ取得部が前記コンテンツを取得する対象範囲を示す範囲情報を前記携帯装置に通知する、請求項４に記載のコンテンツ取得装置。
【請求項６】
前記コンテンツ取得装置は、前記携帯装置から通知されたコンテンツ取得要求信号を受け付ける受付部をさらに備え、
前記コンテンツ取得部は、前記受付部により前記コンテンツ取得要求信号を受け付けた場合に前記コンテンツを取得する、請求項４に記載のコンテンツ取得装置。
【請求項７】
前記コンテンツ取得装置は、前記コンテンツ取得要求信号を通知した携帯装置の位置を同定する同定部をさらに備え、
前記コンテンツ取得部は、前記同定部により同定された前記携帯装置の位置に応じて前記コンテンツを取得する対象範囲を変更する、請求項６に記載のコンテンツ取得装置。
【請求項８】
コンテンツ取得装置から前記コンテンツ取得装置固有の識別情報を受け付ける受付部と、
前記受付部により受け付けた前記識別情報、および前記コンテンツ取得装置によりコンテンツが取得された時刻を示す時刻情報を関連付けて記憶媒体に記憶する記憶制御部と、
外部との通信を行う通信部と、
を備える携帯装置。
【請求項９】
前記通信部は、前記記憶媒体に記憶された前記識別情報および前記時刻情報を他の情報処理装置を介してサーバに送信し、
前記識別情報および前記時刻情報は、前記サーバが、前記サーバが有する記憶部に記憶された前記コンテンツから、前記他の情報処理装置を介して受信した前記識別情報および前記時刻情報に関連付けられたコンテンツを検索して前記情報処理装置に送信する際に参照される、請求項８に記載の携帯装置。
【請求項１０】
前記通信部は、前記記憶媒体に記憶された前記識別情報および前記時刻情報をサーバに送信し、前記サーバが有する記憶部に記憶された前記コンテンツのうち、送信した前記識別情報および前記時刻情報に関連付けられたコンテンツを前記サーバより受信する、請求項８に記載の携帯装置。
【請求項１１】
前記携帯装置は、前記コンテンツ取得装置に前記コンテンツの取得を要求するコンテンツ取得要求信号を通知する通知部をさらに備える、請求項８に記載の携帯装置。
【請求項１２】
前記コンテンツ取得装置は周辺に位置する前記携帯装置に電波により前記識別情報を通知し、
前記記憶制御部は、前記識別情報、前記時刻情報、および前記受付部により前記識別情報を受け付けた際の電波強度を関連付けて前記記憶媒体に記憶させ、
前記通信部は、前記記憶媒体に記憶された前記識別情報、前記時刻情報、および前記電波強度を外部に送信する、請求項８に記載の携帯装置。
【請求項１３】
コンテンツ取得装置により取得されたコンテンツと、前記コンテンツ取得装置固有の識別情報とを前記コンテンツ取得装置から受信する通信部と、
前記コンテンツ、前記識別情報、および前記コンテンツ取得装置により前記コンテンツが取得された時刻を示す時刻情報を関連付けて記憶する記憶部と、
前記通信部が情報処理装置から前記識別情報および前記時刻情報を受信した場合に、前記記憶部に記憶された前記コンテンツから、受信した前記識別情報および前記時刻情報に関連付けられたコンテンツを検索する検索部と、
前記検索部により検索されたコンテンツを前記情報処理装置に送信するよう前記通信部を制御する通信制御部と、
を備えるサーバ。
【請求項１４】
前記サーバは、所定の規則に基づいて前記検索部により検索されたコンテンツの優先順位を決定する優先順位決定部をさらに備え、
前記通信制御部は、前記優先順位決定部により決定された優先順位に基づいて前記コンテンツを前記情報処理装置に送信するよう前記通信部を制御する、請求項１３に記載のサーバ。
【請求項１５】
前記優先順位決定部は、前記所定の規則として、前記コンテンツに関連付けられた前記識別情報に基づいて前記優先順位を決定する、請求項１４に記載のサーバ。
【請求項１６】
前記コンテンツは画像であり、
前記通信部は、前記情報処理装置から人物を特定する特定情報を受信し、
前記優先順位決定部は、前記所定の規則として、前記コンテンツに含まれる前記特定情報により特定される人物の顔領域の識別性に基づいて前記優先順位を決定する、請求項１４に記載のサーバ。
【請求項１７】
情報処理装置から、前記時刻情報が示す時刻における携帯装置の位置を示す位置情報、および前記コンテンツ取得装置が前記コンテンツを取得した際の取得対象の範囲を示す範囲情報を受信し、
前記優先順位決定部は、前記所定の規則として、前記位置情報および前記範囲情報に基づいて前記優先順位を決定する、請求項１４に記載のサーバ。
【請求項１８】
前記コンテンツ取得装置は周辺に位置する携帯装置に電波により前記識別情報を通知し、
前記通信部は、前記情報処理装置から前記携帯装置が前記識別情報を受け付けた際の電波強度を受信し、
前記優先順位決定部は、前記所定の規則として、前記電波強度に基づいて前記優先順位を決定する、請求項１４に記載のサーバ。
【請求項１９】
前記優先順位決定部は、複数の前記所定の規則に基づいて前記コンテンツの優先順位を複数決定する、請求項１４に記載のサーバ。
【請求項２０】
前記サーバは、前記記憶部に記憶されたコンテンツを加工するコンテンツ加工部をさらに備え、
前記コンテンツは画像であり、
前記通信部は、前記情報処理装置から人物を特定する特定情報を受信し、
前記コンテンツ加工部は、前記通信部により受信した前記識別情報および前記時刻情報に関連付けられた前記コンテンツに含まれる、前記特定情報により特定される人物の顔領域を、識別性が劣化するよう加工する、請求項１３に記載のサーバ。
【請求項２１】
コンテンツ取得装置固有の識別情報および前記コンテンツ取得装置によりコンテンツが取得された時刻を示す時刻情報をサーバに送信し、前記サーバより前記識別情報および前記時刻情報に関連付けられたコンテンツを受信する通信部と、
前記通信部により前記サーバから受信した前記識別情報および前記時刻情報に関連付けられたコンテンツを出力するよう制御する出力制御部と、
を備える情報処理装置。
【請求項２２】
前記情報処理装置は、
前記サーバが有する記憶部に記憶された前記コンテンツから、前記識別情報および前記時刻情報に関連付けられたコンテンツを検索する検索部と、
所定の規則に基づいて前記検索部により検索されたコンテンツの優先順位を決定する優先順位決定部と、
をさらに備え、
前記通信部は、前記優先順位決定部により決定された優先順位に基づいて前記コンテンツを受信する、請求項２１に記載の情報処理装置。
【請求項２３】
コンピュータに、
コンテンツ取得装置固有の識別情報および前記コンテンツ取得装置によりコンテンツが取得された時刻を示す時刻情報をサーバに送信し、前記サーバより前記識別情報および前記時刻情報に関連付けられたコンテンツを受信すること、
前記サーバから受信した前記識別情報および前記時刻情報に関連付けられたコンテンツを出力するよう制御すること、
を実行させるためのプログラムが記憶された記憶媒体。
【発明の詳細な説明】
【技術分野】
【０００１】
本開示は、コンテンツ取得装置、携帯装置、サーバ、情報処理装置及び記憶媒体に関する。
【背景技術】
【０００２】
一般的に、行楽施設や観光地では、多くの人が思い出作りのために写真撮影やビデオ撮影を行う。また、大型の遊園地、いわゆるテーマパークでは、アトラクションの要所にカメラが設置され、乗り物が到着した時に自動撮影を行い、アトラクション終了後に希望者にプリントして販売するといったことが行われている。【０００３】
このような設置カメラによる自動撮影に関する技術として、例えば下記特許文献１では、撮影対象となる来場者のみに無線タグのような通信手段を配布し、その通信手段から発信される識別情報の検出に基づいて撮影を行う画像撮影システムが開示されている。【０００４】
また、下記特許文献２では、赤外線等のセンサによって撮影場所で被写体が検出されたことに基づいて、設置カメラにより撮影を行うシステムが開示されている。【０００５】
一方、近年、自分の身に装着して自動的に外界を撮影し続けるウェラブルカメラが知られている。また、ウェラブルカメラは、自分の毎日の生活、人生を撮影し続けることから、ライフログカメラとも称されている。【０００６】
このようなウェアラブルカメラに関し、例えば下記特許文献３では、情報端末同士を無線接続し、個人用ウェアラブルネットワークを構成し、構成した個人用ウェアラブルネットワークをインターネット接続する技術が開示されている。【０００７】
また、下記特許文献４では、通常の撮影モードと、カメラを身に着けたままで自動撮影する自動撮影モードを切り換えて用いる技術が開示されている。【０００８】
また、下記特許文献５では、撮影者の撮影時の生体情報および行動情報を撮影した画像に関連付けて保存する技術が開示されている。
【先行技術文献】
【特許文献】
【０００９】
【特許文献１】特開２００１−１７７７５０号公報
【特許文献２】特開２００２−１１２０７４号公報
【特許文献３】特開２００１−２７４９３６号公報
【特許文献４】特開２００４−３５６９７０号公報
【特許文献５】特開２００９−１８８８９９号公報
【発明の概要】
【発明が解決しようとする課題】
【００１０】
上述した設置カメラおよびウェラブルカメラ等に代表される自動撮影型カメラの登場や、デジタルカメラ等の記憶容量の向上により撮影量が膨大になりつつある今日、自身が写っている等の重要度の高い画像への効率的なアクセスを提供する技術が望まれている。【００１１】
また、上記各特許文献では、撮影装置が外部に対して通知した情報に基づいて、重要度の高い画像への効率的なアクセスを提供する技術については、何ら言及されていない。【００１２】
そこで、本開示では、コンテンツ取得装置が外部に通知した情報に基づいて、重要度の高いコンテンツへの効率的なアクセスを提供することが可能な、新規かつ改良されたコンテンツ取得装置、携帯装置、サーバ、情報処理装置及び記憶媒体を提案する。
【課題を解決するための手段】
【００１３】
本開示によれば、コンテンツを取得するコンテンツ取得部と、前記コンテンツ取得部により取得されたコンテンツおよびコンテンツ取得装置固有の識別情報を外部に送信する送信部と、を備え、前記送信部により送信された前記コンテンツおよび前記識別情報は、前記コンテンツ取得部により前記コンテンツが取得された時刻を示す時刻情報と関連付けられてサーバが有する記憶部に記憶され、当該サーバが、情報処理装置から前記識別情報および前記時刻情報を受信した場合に、前記記憶部に記憶された前記コンテンツから、受信した前記識別情報および前記時刻情報に関連付けられたコンテンツを検索して前記情報処理装置に送信する際に参照される、コンテンツ取得装置が提供される。【００１４】
また、本開示によれば、コンテンツ取得装置から前記コンテンツ取得装置固有の識別情報を受け付ける受付部と、前記受付部により受け付けた前記識別情報、および前記コンテンツ取得装置によりコンテンツが取得された時刻を示す時刻情報を関連付けて記憶媒体に記憶する記憶制御部と、外部との通信を行う通信部と、を備える携帯装置が提供される。【００１５】
また、本開示によれば、コンテンツ取得装置により取得されたコンテンツと、前記コンテンツ取得装置固有の識別情報とを前記コンテンツ取得装置から受信する通信部と、前記コンテンツ、前記識別情報、および前記コンテンツ取得装置により前記コンテンツが取得された時刻を示す時刻情報を関連付けて記憶する記憶部と、前記通信部が情報処理装置から前記識別情報および前記時刻情報を受信した場合に、前記記憶部に記憶された前記コンテンツから、受信した前記識別情報および前記時刻情報に関連付けられたコンテンツを検索する検索部と、前記検索部により検索されたコンテンツを前記情報処理装置に送信するよう前記通信部を制御する通信制御部と、を備えるサーバが提供される。【００１６】
また、本開示によれば、コンテンツ取得装置固有の識別情報および前記コンテンツ取得装置によりコンテンツが取得された時刻を示す時刻情報をサーバに送信し、前記サーバより前記識別情報および前記時刻情報に関連付けられたコンテンツを受信する通信部と、前記通信部により前記サーバから受信した前記識別情報および前記時刻情報に関連付けられたコンテンツを出力するよう制御する出力制御部と、を備える情報処理装置が提供される。【００１７】
また、本開示によれば、コンピュータに、コンテンツ取得装置固有の識別情報および前記コンテンツ取得装置によりコンテンツが取得された時刻を示す時刻情報をサーバに送信し、前記サーバより前記識別情報および前記時刻情報に関連付けられたコンテンツを受信すること、前記サーバから受信した前記識別情報および前記時刻情報に関連付けられたコンテンツを出力するよう制御すること、を実行させるためのプログラムが記憶された記憶媒体が提供される。
【発明の効果】
【００１８】
以上説明したように本開示によれば、コンテンツ取得装置が外部に通知した情報に基づいて、重要度の高いコンテンツへの効率的なアクセスを提供することが可能となる。
【図面の簡単な説明】
【００１９】
【図１】本開示の一実施形態に係るコンテンツ管理システムの概要を示す説明図である。
【図２】第１の実施形態に係るコンテンツ管理システムの構成を示す説明図である。
【図３】第１の実施形態に係る自動撮影装置の構成を示すブロック図である。
【図４】第１の実施形態に係る識別情報受信装置の構成を示すブロック図である。
【図５】第１の実施形態に係るサーバの構成を示すブロック図である。
【図６】第１の実施形態に係る自動撮影装置の動作処理を示すフローチャートである。
【図７】第１の実施形態に係る識別情報受信装置の動作処理を示すフローチャートである。
【図８】第１の実施形態に係る自動撮影装置に記憶されたコンテンツの送信処理の一例を示す説明図である。
【図９】第１の実施形態に係るコンテンツ管理システムの一例を示す説明図である。
【図１０】第１の実施形態に係るコンテンツ管理システムによるコンテンツへのアクセスの概要を説明するための説明図である。
【図１１】第１の実施形態に係る情報処理装置の構成を示すブロック図である。
【図１２】第１の実施形態に係る情報処理装置の動作処理を示すフローチャートである。
【図１３】第１の実施形態に係るコンテンツへのアクセスの一例を示す説明図である。
【図１４】第２の実施形態に係る優先順位決定処理の一例を示す説明図である。
【図１５】第２の実施形態に係るコンテンツへのアクセスの一例を示す説明図である。
【図１６】第２の実施形態に係る優先順位決定処理の一例を示す説明図である。
【図１７】第３の実施形態に係るコンテンツ管理システムの概要を示す説明図である。
【図１８】第３の実施形態に係る自動撮影装置の構成を示すブロック図である。
【図１９】第３の実施形態に係る識別情報受信装置の構成を示すブロック図である。
【図２０】第４の実施形態に係るコンテンツ管理システムの概要を示す説明図である。
【発明を実施するための形態】
【００２０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２１】
なお、説明は以下の順序で行うものとする。
１．本開示の一実施形態に係るコンテンツ管理システムの概要
２．実施形態
２−１．第１の実施形態
（２−１−１．構成）
（２−１−２．コンテンツ収集動作）
（２−１−３．コンテンツへのアクセス）
（２−１−４．コンテンツの加工）
（２−１−５．効果）
２−２．第２の実施形態
（２−２−１．優先順位決定処理１）
（２−２−２．優先順位決定処理２）
（２−２−３．優先順位決定処理３）
（２−２−４．優先順位決定処理４）
（２−２−５．効果）
２−３．第３の実施形態
（２−３−１．構成）
（２−３−２．動作処理）
（２−３−３．効果）
２−４．第４の実施形態
（２−４−１．概要）
（２−４−２．効果）
３．まとめ
【００２２】
＜＜１．本開示の一実施形態に係るコンテンツ管理システムの概要＞＞
本開示は、一例として［２−１．第１の実施形態］〜［２−４．第４の実施形態］において詳細に説明するように、多様な形態で実施され得る。また、各実施形態によるコンテンツ管理システムに含まれるコンテンツ取得装置（自動撮影装置２）は、
Ａ．コンテンツを取得するコンテンツ取得部（撮影部２０、マイク２１）と、
Ｂ．前記コンテンツ取得部により取得されたコンテンツおよびコンテンツ取得装置固有の識別情報を外部に送信する送信部（通信部２５）と、
を備え、
Ｃ．前記送信部により送信された前記コンテンツおよび前記識別情報は、前記コンテンツ取得部により前記コンテンツが取得された時刻を示す時刻情報と関連付けられてサーバ（サーバ４）が有する記憶部（記憶部４２）に記憶され、当該サーバが、情報処理装置（情報処理装置７）から前記識別情報および前記時刻情報を受信した場合に、前記記憶部に記憶された前記コンテンツから、受信した前記識別情報および前記時刻情報に関連付けられたコンテンツを検索して前記情報処理装置に送信する際に参照される。
【００２３】
まず、このような各実施形態において共通するコンテンツ管理システムの基本構成について、図１を参照して説明する。
【００２４】
図１は、本開示の一実施形態に係るコンテンツ管理システムの概要を示す説明図である。図１に示したように、自動撮影装置（コンテンツ取得装置）２Ａ〜２Ｆが、屋外の至る所に定点設置されており、ネットワーク５を介してサーバ４に接続されている。自動撮影装置２Ａ〜２Ｆは、カメラおよびマイクロフォン（以下、マイクと称す）等の各種センサを有し、継続的に録画・録音を行っている。本開示に係るコンテンツ管理システムでは、図１に示す屋外の他、屋内にも多数の自動撮影装置２が配置されている状況を想定する。また、以下、自動撮影装置２Ａ〜２Ｆを個別に説明する必要が無い場合、自動撮影装置２と総称する。そして、自動撮影装置２によって撮影される映像、画像、収音される音声、またはこれらの組み合わせを、コンテンツと総称する。
【００２５】
自動撮影装置２は、コンテンツを取得する際に、周辺のコンテンツを取得し得る範囲に対して、コンテンツを取得することを通知する信号（以下、被撮影信号とも称す）を発信する。なお、被撮影信号には、自動撮影装置２固有の識別情報（以下、単に識別情報とも称す）が含まれている。
【００２６】
そして、自動撮影装置２は、取得したコンテンツ、コンテンツを取得した時刻（時刻情報）、および当該自動撮影装置２固有の識別情報を関連付けて、サーバ４に記憶させる。なお、サーバ４は、自動撮影装置２からコンテンツおよび識別情報を受信した時刻を、自動撮影装置２がコンテンツを取得した時刻としてもよい。
【００２７】
図１に示すユーザ３は、ある特定の時刻に自動撮影装置２により取得されたコンテンツを閲覧するためには、サーバ４に記憶されたコンテンツの検索条件として、当該自動撮影装置２固有の識別情報および時刻情報を指定すればよい。ここで、サーバ４は多数の自動撮影装置２が取得した大量のコンテンツを記憶している。従って、ユーザ３にとっては、大量のコンテンツの中でも重要度の高いコンテンツに関連付けられた識別情報および時刻情報を、検索条件として指定することが望ましい。
【００２８】
一方、図１に示すように、ユーザ３は、自動撮影装置２が発信した被撮影信号を受信可能な、ウェアラブルな識別情報受信装置１（携帯装置）を装着している。識別情報受信装置１は、受信した被撮影信号に含まれる識別情報および自動撮影装置２がコンテンツを取得した時刻（時刻情報）を関連付けて記憶する。なお、識別情報受信装置１は、被撮影信号を受信した時刻を、自動撮影装置２がコンテンツを取得した時刻としてもよい。
【００２９】
ここで、識別情報受信装置１が被撮影信号を受信したことは、被撮影信号を発信した自動撮影装置２がコンテンツを取得した時刻に、当該自動撮影装置２がコンテンツを取得し得る範囲（対象範囲）にユーザ３が居たことを示している。つまり、識別情報受信装置１が被撮影信号を受信した場合には、ユーザ３は被撮影信号を発信した自動撮影装置２により撮影・収音されている可能性が高い。
【００３０】
そこで、ユーザ３は、後に識別情報受信装置１に記憶された識別情報および時刻情報を指定して検索することで、サーバ４に記憶されている、自身が撮影・収音された可能性の高い、重要度の高いコンテンツに容易にアクセスすることができる。このように、識別情報受信装置１に記憶された識別情報および時刻情報は、大量のコンテンツの中からユーザ３が撮影されたコンテンツへの効率的なアクセスを可能にするブックマークとして、被撮影ブックマークとも称すことができる。
【００３１】
また、ユーザ３は、被撮影ブックマークを用いて自身を録画したデータに容易にアクセスするのみの留まらず、サーバ４に記憶されているコンテンツを加工してプライバシーを保護することもできる。例えば、ユーザ３は、他人に自身の映った画像を閲覧されないために、画像から自身の姿を削除することができる。
【００３２】
なお、識別情報受信装置１の装着方法は、図１に示したような、識別情報受信装置１に取り付けられた紐でユーザ３の首に掛けられる方法に限定されない。例えば、識別情報受信装置１は、ユーザ３の帽子、衣服、鞄、メガネ、サングラス等に取り付けられていてもよいし、ユーザ３の衣服のポケットに入れられてもよい。
【００３３】
また、自動撮影装置２は、図１に示すような定点設置される設置装置の他、他ユーザや動物等に装着されるウェアラブル装置であってもよいし、車両等の移動体に装着される装着型装置または内蔵される内蔵型装置であってもよい。また、自動撮影装置２は、他ユーザが把持するデジタルカメラ等の把持型装置であってもよい。
【００３４】
以上、本開示の一実施形態に係るコンテンツ管理システムの概要について説明した。続いて、このような本開示によるコンテンツ管理システムについて複数の実施形態を挙げて詳細に説明する。
【００３５】
＜＜２．実施形態＞＞
＜２−１．第１の実施形態＞
本実施形態によれば、コンテンツ管理システムは、コンテンツへのアクセス容易性、およびプライバシー保護をユーザ３に提供することが可能である。以下では、図２〜図５を参照し、本実施形態の構成を説明する。
【００３６】
［２−１−１．構成］
図２は、第１の実施形態に係るコンテンツ管理システムの構成を示す説明図である。図２に示したように、コンテンツ管理システムは、ユーザ３に装着された識別情報受信装置１−１、ユーザ３の周囲に配置されている自動撮影装置２−１、およびサーバ４を含む。また、自動撮影装置２−１は、ネットワーク５を介してサーバ４と接続する。
【００３７】
識別情報受信装置１−１は、自動撮影装置２が発信した被撮影信号（識別情報を含む）を受信可能な、ウェアラブルな装置である。識別情報受信装置１−１は、被撮影ブックマークとして、受信した被撮影信号に含まれる識別情報、および被撮影信号を受信した時刻を関連付けて記憶する。
【００３８】
自動撮影装置２−１は、継続的に撮影・収音を行い、録画・録音したデータ（コンテンツ）をサーバ４に送信する。ここで、自動撮影装置２−１は、上述したように、ユーザ３を録画・録音したデータと、当該自動撮影装置２−１固有の識別情報とを関連付けてサーバ４に送信する。
【００３９】
ネットワーク５は、例えばインターネット、専用線、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等により構成される。
【００４０】
サーバ４は、コンテンツの記憶および配信等の管理を行う。例えば、サーバ４は、自動撮影装置２−１により送信された識別情報およびコンテンツを、当該識別情報およびコンテンツを受信した時刻に関連付けて記憶する。そして、ユーザ３からのアクセス要求に応じて、アクセス要求に含まれる被撮影ブックマークに関連付けられたコンテンツをユーザ３に提供する。
【００４１】
このように、第１の実施形態に係るコンテンツ管理システムでは、ユーザ３の周囲に配置された自動撮影装置２−１により取得されたコンテンツが、識別情報および時刻情報と関連付けられ、サーバ４に記憶される。これにより、後にユーザ３は、上述の通り、被撮影ブックマークを用いてサーバ４に記憶されたコンテンツの中から自身が撮影・収音されたコンテンツにアクセスすることができる。続いて、第１の実施形態に係るコンテンツ管理システムに含まれる自動撮影装置２−１、識別情報受信装置１、およびサーバ４の構成について、図３〜図５を参照して順次説明する。
【００４２】
（自動撮影装置）
図３は、第１の実施形態に係る自動撮影装置２−１の構成を示すブロック図である。図３に示したように、自動撮影装置２−１は、撮影部２０、マイク２１、記憶部２２、識別情報通知部２３、制御部２４、および通信部２５を含む。また、これらの自動撮影装置２−１の各構成は、バス２９を介して互いに通信する。
【００４３】
・撮影部
撮影部２０は、撮像素子、撮像レンズを含む撮像光学系、および撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００４４】
・マイク
マイク２１は、周囲の音を収音し、アンプおよびＡＤＣ（Ａｎａｌｏｇ  ｔｏ  Ｄｉｇｉｔａｌ  Ｃｏｎｖｅｒｔｅｒ）等を介してデジタル信号に変換した音声データを出力する。
【００４５】
・記憶部
記憶部２２は、撮影部２０およびマイク２１により撮影・収音されたコンテンツを記憶する。記憶部２２は、コンテンツを圧縮処理して記憶してもよい。記憶部２２は、例えばカード型メモリなどのフラッシュメモリや、ＤＶＤ（Ｄｉｇｉｔａｌ
Ｖｅｒｓａｔｉｌｅ Ｄｉｓｃ）、ハードディスクなどの記録媒体により実現される。
【００４６】
・識別情報通知部
識別情報通知部２３は、自動撮影装置２−１固有の識別情報を含む被撮影信号を周辺に位置する識別情報受信装置１−１に通知する。被撮影信号は、識別情報以外の情報を含んでいてもよい。また、識別情報通知部２３は、被撮影信号を所定の方向に通知するよう、通知の指向性方向を設定してもよい。
【００４７】
また、識別情報通知部２３は、被撮影信号を常時通知してもよいし、定期的／不定期的に通知してもよい。また、識別情報通知部２３は、例えば夜間は通知を取り止める等、時刻に応じて通知してもよいし、撮影部２０が撮影した画像または図示しない人感センサによる検知結果等に基づいて、撮影範囲（対象範囲）に人が含まれる場合に被撮影信号を通知してもよい。なお、識別情報通知部２３の通信方式は特に限定せず、例えばＷｉＦｉ、Ｂｌｕｅｔｏｏｔｈ（登録商標）、ＺｉｇＢｅｅ等であってもよい。他にも、識別情報通知部２３は、ＩＣ（Ｉｎｔｅｇｒａｔｅｄ  Ｃｉｒｃｕｉｔ）タグ、ＲＦＩＤ（Ｒａｄｉｏ  Ｆｒｅｑｕｅｎｃｙ  ＩＤｅｎｔｉｆｉｃａｔｉｏｎ）等の電波式情報コードにより実現されてもよい。
【００４８】
・制御部
制御部２４は、演算処理装置および制御装置として機能し、各種プログラムに従って自動撮影装置２−１内の動作全般を制御する。制御部２４は、例えばＣＰＵ（Ｃｅｎｔｒａｌ  Ｐｒｏｃｅｓｓｉｎｇ  Ｕｎｉｔ）、マイクロプロセッサによって実現される。なお、制御部２４は、使用するプログラムや演算パラメータ等を記憶するＲＯＭ（Ｒｅａｄ  Ｏｎｌｙ  Ｍｅｍｏｒｙ）、および適宜変化するパラメータ等を一時記憶するＲＡＭ（Ｒａｎｄｏｍ  Ａｃｃｅｓｓ  Ｍｅｍｏｒｙ）を含んでいてもよい。
【００４９】
・通信部
通信部２５は、外部とデータ通信を行うための通信インターフェースである。例えば、通信部２５は、撮影部２０およびマイク２１により撮影・収音されたコンテンツを自動撮影装置２−１固有の識別情報と関連付けて、ネットワーク５を介してサーバ４に送信してもよい。また、通信部２５は、記憶部２２に記憶された各種データを自動撮影装置２−１固有の識別情報と関連付けて、他の通信装置（図８の通信装置６参照）を介してサーバ４に送信してもよい。
【００５０】
（識別情報受信装置）
図４は、第１の実施形態に係る識別情報受信装置１−１の構成を示すブロック図である。図４に示したように、識別情報受信装置１−１は、時刻取得部１０、記憶部１２、識別情報受付部１３、制御部１４、および通信部１５を含む。また、これらの識別情報受信装置１−１の各構成は、バス１９を介して互いに通信する。
【００５１】
・識別情報受付部
識別情報受付部１３は、自動撮影装置２−１により通知された被撮影信号、即ち被撮影信号に含まれる自動撮影装置２−１固有の識別情報を受信する（受け付ける）。そして、識別情報受付部１３は、受信した識別情報を記憶部１２に出力する。なお、識別情報通知部２３が電波式情報コードである場合には、識別情報受付部１３は、識別情報通知部２３に対して電波を発信し、識別情報通知部２３より識別情報が付加されて反射される電波を受信する。
【００５２】
・時刻取得部
時刻取得部１０は、自動撮影装置２−１によりコンテンツが取得された時刻（時刻情報）として、識別情報受付部１３が被撮影信号を受信した時刻を取得する、時計としての機能を有する。時刻取得部１０は、時刻情報を記憶部１２に出力する。
【００５３】
・制御部
制御部１４は、演算処理装置および制御装置として機能し、各種プログラムに従って識別情報受信装置１−１内の動作全般を制御する。例えば、制御部１４は、識別情報受付部１３により受信した識別情報、および時刻取得部１０により取得された時刻情報を関連付けて記憶部１２に記憶させる、記憶制御部としての機能を有していてもよい。なお、制御部１４は、例えばＣＰＵ、マイクロプロセッサによって実現される。また、制御部２４は、使用するプログラムや演算パラメータ等を記憶するＲＯＭ、および適宜変化するパラメータ等を一時記憶するＲＡＭを含んでいてもよい。
【００５４】
・記憶部
記憶部１２は、制御部１４による制御により、被撮影ブックマークを記憶する。ここで、被撮影ブックマークとは、上述したように、識別情報受信装置１３が受信した被撮影信号に含まれる識別情報、および識別情報受信装置１３が被撮影信号を受信した時刻を示す時刻情報である。なお、記憶部１２は、例えばユーザ３が識別情報受信装置１−１を紛失した場合に備えて、被撮影ブックマークを暗号化して記憶してもよい。また、記憶部２２は、例えばカード型メモリなどのフラッシュメモリや、ＤＶＤ、ハードディスクなどの記録媒体により実現される。
【００５５】
・通信部
通信部１５は、外部とデータ通信を行うための通信インターフェースである。例えば、通信部１５は、記憶部１２に記憶された被撮影ブックマークを、ネットワーク５を介してサーバ４に送信し、被撮影ブックマークに対応するコンテンツを受信してもよい。また、通信部１５は、記憶部１２に記憶された被撮影ブックマークを、他の情報処理装置（図１０の情報処理装置７参照）を介してサーバ４に送信し、被撮影ブックマークに対応するコンテンツを受信してもよい。
【００５６】
（サーバ）
図５は、第１の実施形態に係るサーバ４の構成を示すブロック図である。図５に示したように、サーバ４は、時刻取得部４０、記憶部４２、制御部４４、および通信部４５を含む。また、これらのサーバ４の各構成は、バス４９を介して互いに通信する。
【００５７】
・通信部
通信部４５は、外部とデータ通信を行うための通信インターフェースである。例えば、通信部４５は、自動撮影装置２−１により取得されたコンテンツおよび自動撮影装置２−１固有の識別情報を、自動撮影装置２−１または他の通信装置（図８の通信装置６参照）から受信してもよい。また、通信部４５は、ユーザ３に対して、アクセス要求に応じたコンテンツを提供してもよい。具体的には、識別情報受信装置１または他の情報処理装置（図１０の情報処理装置７参照）から被撮影ブックマークを受信してもよい。そして、通信部４５は、記憶部４２に記憶されたコンテンツを識別情報受信装置１または他の情報処理装置に送信してもよい。
【００５８】
・時刻取得部
時刻取得部４０は、自動撮影装置２−１によりコンテンツが取得された時刻（時刻情報）として、通信部４５が識別情報およびコンテンツを受信した時刻を取得する、時計としての機能を有する。時刻取得部４０は、時刻情報を記憶部４２に出力する。
【００５９】
・記憶部
記憶部４２は、通信部４５により出力された識別情報およびコンテンツ、および時刻取得部４０により出力された時刻情報を関連付けて記憶する。なお、記憶部４２は、例えばカード型メモリなどのフラッシュメモリや、ＤＶＤ、ハードディスクなどの記録媒体により実現される。
【００６０】
・制御部
制御部４４は、演算処理装置および制御装置として機能し、各種プログラムに従ってサーバ４内の動作全般を制御する。制御部４４は、例えばＣＰＵ、マイクロプロセッサによって実現される。なお、制御部４４は、使用するプログラムや演算パラメータ等を記憶するＲＯＭ、および適宜変化するパラメータ等を一時記憶するＲＡＭを含んでいてもよい。また、制御部４４は、検索部４４１、優先順位決定部４４２、コンテンツ加工部４４３、および通信制御部４４４として機能する。
【００６１】
・検索部
検索部４４１は、通信部４５が被撮影ブックマークを受信した場合に、記憶部４２に記憶されたコンテンツから、受信した被撮影ブックマークに関連付けられたコンテンツを検索する。詳しくは、検索部４４１は、被撮影ブックマークに含まれる識別情報が示す自動撮影装置２−１により取得されたコンテンツのうち、被撮影ブックマークに含まれる時刻情報が示す時刻のコンテンツを、検索結果として出力する。
【００６２】
・優先順位決定部
優先順位決定部４４２は、所定の規則に基づいて検索部４４１により検索されたコンテンツの優先順位を決定する。優先順位決定部４４２は、より重要度の高いコンテンツが通信部４５によりユーザ３に提供されるための、フィルターとしての役割を果たす。例えば、優先順位決定部４４２は、コンテンツに関連付けられた情報や、コンテンツの内容に基づいて、優先順位を決定する。例えば、優先順位決定部４４２は、ひとつの自動撮影装置２−１により取得されたコンテンツの中での優先順位を決定してもよい。また、優先順位決定部４４２は、複数の自動撮影装置２−１により取得されたコンテンツの中での優先順位を決定してもよい。
【００６３】
・コンテンツ加工部
コンテンツ加工部４４３は、記憶部４２に記憶されたコンテンツを加工する。例えば、コンテンツが画像である場合に、コンテンツ加工部４４３はコンテンツに含まれる特定の人物の顔領域の識別性を劣化、顔領域を他の画像に変更、または当該人物全体を削除等するよう加工する。そして、加工されたコンテンツは、記憶部４２に記憶される。
【００６４】
・通信制御部
通信制御部４４４は、通信部４５による外部とのデータ通信を制御する。例えば、通信制御部４４４は、通信部４５を制御して、検索部４４１により検索されたコンテンツを、被撮影ブックマークの送信元である、識別情報受信装置１または他の情報処理装置（図１０の情報処理装置７参照）に送信させる。その際、通信制御部４４４は、優先順位決定部４４２により決定された優先順位に基づいて、コンテンツを送信させてもよい。また、通信制御部４４４は、サーバ４上でのコンテンツの閲覧のみを許可、またはサーバ４からのコンテンツのダウンロード（保存）を許可する等のアクセス許可情報を合せて送信させてもよい。
【００６５】
［２−１−２．コンテンツ収集動作］
次に、本実施形態に係るコンテンツ管理システムによるコンテンツ収集動作について、図６〜７を参照して説明する。
【００６６】
図６は、第１の実施形態に係る自動撮影装置２−１の動作処理を示すフローチャートである。なお、本明細書では、以下、特に撮影部２０により撮影されたコンテンツに関して説明する。
【００６７】
まず、ステップＳ１０４で、制御部２４は撮影部２０による撮影を実行するか否かを判定する。例えば、制御部２４は、常時撮影を実行するよう判定してもよいし、所定の時間間隔で撮影を実行するよう判定してもよい。また、制御部２４は、撮影部２０が起動しているか否かに基づいて判定してもよい。他にも、制御部２４は、撮影部２０または図示しない人感センサ等に基づいて、撮影範囲にユーザ３が含まれる場合に撮影すると判定してもよい。さらには、制御部２４は、撮影範囲の中央等の、品質の良いコンテンツを撮影し得る地点にユーザ３が到達した場合に、撮影すると判定してもよい。
【００６８】
そして、撮影を実行しないと判定された場合（Ｓ１０４／Ｎｏ）、その直後または所定の時間後に、処理は再度ステップＳ１０４に進む。
【００６９】
一方で、撮影を実行すると判定された場合（Ｓ１０４／Ｙｅｓ）、ステップＳ１０８で、識別情報通知部２３は、自動撮影装置２−１固有の識別情報を含む被撮影信号を、周辺に位置する識別情報受信装置１−１に通知する。
【００７０】
続いて、ステップＳ１１２で、撮影部２０は撮影を実行する。このとき、撮影部２０は、例えば撮影範囲に含まれる人物に焦点が合うよう、レンズの絞りやシャッター速度等の撮影パラメータを調節してもよい。
【００７１】
次に、ステップＳ１１６で、制御部２４は、撮影部２０が撮影したコンテンツを通信部２５によりサーバ４に転送するか否かを判定する。例えば、制御部２４は、常時コンテンツの転送を実行させるよう判定してもよいし、所定の時間間隔で転送が実行されるよう判定してもよい。
【００７２】
そして、転送を実行すると判定された場合（Ｓ１１６／Ｙｅｓ）、ステップＳ１２０で、通信部２５は、撮影部２０により撮影されたコンテンツおよび自動撮影装置２−１固有の識別情報を、ネットワーク５を介してサーバ４に送信する。このとき、サーバ４は、通信部２５からコンテンツおよび識別情報を受信した時刻を、自動撮影装置２がコンテンツを取得した時刻として、識別情報に関連付けて記憶部４２に記憶する。
【００７３】
一方で、転送を実行しないと判定された場合（Ｓ１１６／Ｎｏ）、ステップＳ１２４で、記憶部２２は、撮影部２０により撮影されたコンテンツを記憶する。そして、次に転送が実行される際には、通信部２５は記憶部２２に記憶されたコンテンツをサーバ４に送信する。
【００７４】
次に、ステップＳ１２８で、制御部２４は、撮影を終了するか否かを判定する。例えば、制御部２４は、夜間は撮影を終了する等、時刻に応じて判定してもよい。そして、撮影を終了すると判定された場合（Ｓ１２８／Ｙｅｓ）に処理は終了し、撮影を終了しないと判定された場合（Ｓ１２８／Ｎｏ）に処理は再度ステップＳ１０４に進む。
【００７５】
図７は、第１の実施形態に係る識別情報受信装置１−１の動作処理を示すフローチャートである。
【００７６】
まず、ステップＳ２０４で、制御部１４は、識別情報受付部１３が被撮影信号を受信したか否かを判定する。
【００７７】
そして、被撮影信号を受信していないと判定された場合（Ｓ２０４／Ｎｏ）、その直後または所定の時間後に、処理は再度ステップＳ２０４に進む。
【００７８】
一方で、被撮影信号を受信したと判定された場合（Ｓ２０４／Ｙｅｓ）、ステップＳ２０８で、記憶部１２は、受信した被撮影信号に含まれる識別情報、および被撮影信号を受信した時刻を示す時刻情報を関連付けた、被撮影ブックマークを記憶する。
【００７９】
次いで、ステップＳ２１２で、制御部１４は、被撮影信号の受信を停止するか否かを判定する。例えば、制御部１４は、夜間は受信を停止する等、時刻に応じて判定してもよい。そして、受信を停止すると判定された場合（Ｓ２１２／Ｙｅｓ）に処理は終了し、受信を停止しないと判定された場合（Ｓ２１２／Ｎｏ）に処理は再度ステップＳ２０４に進む。
【００８０】
（補足）
サーバ４は、上記ステップＳ１２０でコンテンツを受信した際に、コンテンツを解析して顔認識することでコンテンツに含まれるユーザ３を同定し、ユーザ３に自動撮影装置２−１により撮影されたことを通知してもよい。例えば、ユーザ３は、携帯するスマートフォン等の表示部を有する端末に通知を受けることで、撮影されていることを認識し、格好を改めることができる。
【００８１】
また、上記ステップＳ１２０に関し、ネットワーク５の障害等により通信部２５がサーバ４と通信できない場合や、通信部２５がネットワーク５を介したデータ通信機能を有しない場合がある。この場合の動作処理について、図８を参照して説明する。
【００８２】
図８は、第１の実施形態に係る自動撮影装置２に記憶されたコンテンツの送信処理の一例を示す説明図である。図８に示したように、通信部２５がネットワーク５を介したデータ通信機能を有しない自動撮影装置２−２は、当該通信機能を有する通信装置６に、記憶部２２に記憶されたデータをＵＳＢ（Ｕｎｉｖｅｒｓａｌ  Ｓｅｒｉａｌ  Ｂｕｓ）接続等により伝送する。そして、通信装置６は、伝送されたデータを、ネットワーク５を介してサーバ４に送信する。このような通信装置６は、例えばＰＣ（Ｐｅｒｓｏｎａｌ  Ｃｏｍｐｕｔｅｒ）、スマートフォン、携帯電話等によって実現される。
【００８３】
なお、自動撮影装置２−２は、コンテンツを取得した際に、コンテンツを取得した時刻を示す時刻情報をコンテンツに関連付けて記憶部２２に記憶する。そして、自動撮影装置２−２は、コンテンツ、識別情報および時刻情報を、通信装置６とのＵＳＢ接続等を介してサーバ４に送信する。このとき、サーバ４は、受信したコンテンツ、識別情報および時刻情報を関連付けて記憶部４２に記憶する。なぜならば、自動撮影装置２−１はコンテンツ取得直後にデータを送信するため、サーバ４がデータを受信した時刻はコンテンツ取得時刻とほぼ一致する一方、自動撮影装置２−２からデータを受信した時刻は、コンテンツ取得時刻と相違するためである。
【００８４】
また、上述したように、自動撮影装置２は、定点設置される設置カメラの他、ユーザ３に装着されるウェアラブル装置、車両等の移動体に装着される装着型装置または内蔵される内蔵型装置、ユーザ３が把持するデジタルカメラ等の把持型装置であってもよい。その一例として、図９を参照し、ユーザ３に装着されるウェアラブルな自動撮影装置２について説明する。
【００８５】
図９は、第１の実施形態に係るコンテンツ管理システムの一例を示す説明図である。図９に示したように、ユーザ３Ｂに装着されたウェアラブルな自動撮影装置２−３は、ユーザ３Ａをユーザ３Ｂの目線で撮影している。より詳しくは、自動撮影装置２−３は、ユーザ３Ｂにより撮影が実行されると同時に被撮影信号を通知する。このとき、自動撮影装置２−３が通知した被撮影信号は識別情報受信装置１−１により受信されるので、ユーザ３Ａは、自動撮影装置２−３より受信した識別情報を用いて、ユーザ３Ｂの目線から撮影されたコンテンツにアクセスすることができる。
【００８６】
なお、自動撮影装置２−３は、識別情報受信装置１−１を有するユーザ３Ａに装着されてもよい。
【００８７】
［２−１−３．コンテンツへのアクセス］
以上、本実施形態に係るコンテンツ管理システムによるコンテンツ収集動作について説明した。続いて、本実施形態に係るコンテンツ管理システムによるコンテンツへのアクセスについて説明する。上述したように、ユーザ３は、被撮影ブックマークを用いて、サーバ４に記憶された自身が録画・録音されたコンテンツにアクセスすることができる。ここでは、任意の情報処理装置からの、被撮影ブックマークに関連付けられたコンテンツへのアクセスについて説明する。まず、図１０を参照して、任意の情報処理装置を用いたコンテンツへのアクセスの概要について説明する。
【００８８】
図１０は、第１の実施形態に係るコンテンツ管理システムによるコンテンツへのアクセスの概要を説明するための説明図である。図１０で示したように、ユーザ３は、ネットワーク５を介してサーバ４と接続する情報処理装置７を用いて、サーバ４に記憶されたコンテンツにアクセスする。
【００８９】
情報処理装置７は、通信機能を有し、識別情報受信装置１−１から識別情報および時刻情報で構成される被撮影ブックマークを受信し、被撮影ブックマークを含むアクセス要求を生成する。この際、情報処理装置７は、ユーザ３を特定する特定情報をアクセス要求に含めてもよい。そして、情報処理装置７は、アクセス要求をサーバ４に送信し、アクセス要求に応じたコンテンツをサーバ４より受信する。以下、図１１〜１２を参照し、情報処理装置７の構成および動作処理を順次説明する。
【００９０】
（情報処理装置７の構成）
図１１は、第１の実施形態に係る情報処理装置７の構成を示すブロック図である。図１１に示したように、情報処理装置７は、記憶部７２、制御部７４、通信部７５、および出力部７６を含む。また、これらの情報処理装置７の各構成は、バス７９を介して互いに通信する。
【００９１】
・通信部
通信部７５は、外部とデータ通信を行うための通信インターフェースである。例えば、通信部７５は、識別情報受信装置１−１からの被撮影ブックマークおよび特定情報を含むアクセス要求を受信し、受信した被撮影ブックマークおよび特定情報を、ネットワーク５を介してサーバ４に送信してもよい。また、通信部７５は、送信した被撮影ブックマークに関連付けられたコンテンツをサーバ４から受信してもよい。
【００９２】
・記憶部
記憶部７２は、通信部７５により識別情報受信装置１−１から受信された被撮影ブックマーク、およびサーバ４から受信されたコンテンツを記憶する。記憶部７２は、例えばカード型メモリなどのフラッシュメモリや、ＤＶＤ、ハードディスクなどの記録媒体により実現される。
【００９３】
・出力部
出力部７６は、被撮影ブックマークに関連付けられたコンテンツを出力する。出力部７６は、通信部７５により受信されたコンテンツをリアルタイムで出力してもよいし、記憶部７２に記憶されたコンテンツを出力してもよい。出力部７６は、例えばＣＲＴ（Ｃａｔｈｏｄｅ  Ｒａｙ  Ｔｕｂｅ）ディスプレイ装置、液晶ディスプレイ（ＬＣＤ）装置等により実現される。
【００９４】
・制御部
制御部７４は、演算処理装置および制御装置として機能し、各種プログラムに従って情報処理装置７内の動作全般を制御する。例えば、制御部７４は、通信部７５により受信された被撮影ブックマークに関連付けられたコンテンツを、出力部７６により出力するよう制御する出力制御部としての機能を有していてもよい。なお、制御部７４は、例えばＣＰＵ、マイクロプロセッサによって実現される。また、制御部７４は、使用するプログラムや演算パラメータ等を記憶するＲＯＭ、および適宜変化するパラメータ等を一時記憶するＲＡＭを含んでいてもよい。
【００９５】
（情報処理装置７の動作処理）
次に、本実施形態に係るコンテンツ情報アクセス動作について、図１２を参照して説明する。図１２は、第１の実施形態に係る情報処理装置７の動作処理を示すフローチャートである。
【００９６】
まず、ステップＳ３０４で、通信部７５は、識別情報受信装置１−１から識別情報および時刻情報で構成される被撮影ブックマークを受信する。
【００９７】
次に、ステップＳ３０８で、通信部７５は、識別情報受信装置１−１から受信した被撮影ブックマークを、サーバ４に送信する。
【００９８】
続いて、ステップＳ３０８で、通信部７５は、サーバ４に記憶された、被撮影ブックマークに関連付けられたコンテンツを受信する。
【００９９】
最後に、ステップＳ３１６で、出力部７６は、通信部７５により受信された、被撮影ブックマークに関連付けられたコンテンツを出力する。ここで、出力部７６により出力される、被撮影ブックマークに関連付けられたコンテンツについて、図１３を参照して詳細に説明する。
【０１００】
図１３は、第１の実施形態に係るコンテンツへのアクセスの一例を示す説明図である。図１３では、識別情報および識別情報（被撮影信号）を受信開始した時刻および受信終了した時刻を示す被撮影ブックマーク１００、およびサーバ４に記憶されているコンテンツ４００の一例を示している。
【０１０１】
図１３に示したように、被撮影ブックマーク１０１は、識別情報Ａおよび時刻１０：００から時刻１１：００までを示す時刻情報で構成されており、識別情報Ａに関連付けられた１０：００から時刻１１：００までのコンテンツ４０１に対応する。即ち、コンテンツ４０１は、被撮影ブックマーク１０１に関連付けられている。同様に、コンテンツ４０２は被撮影ブックマーク１０２に、コンテンツ４０３は被撮影ブックマーク１０３に、それぞれ関連付けられている。
【０１０２】
このため、上記ステップＳ３０８〜Ｓ３１２において、通信部７５が被撮影ブックマーク１００をサーバ４に送信すると、サーバはコンテンツ４０１、４０２、４０３を情報処理装置７に送信し、出力部７６はこれらのコンテンツを出力する。
【０１０３】
（補足）
なお、図１３において被撮影ブックマーク１００で示したように、識別情報受信装置１は、被撮影信号を連続的に受信した時刻をまとめることで、被撮影信号を受信開始した時刻および受信終了した時刻を算出し、被撮影ブックマークとしてもよい。
【０１０４】
また、上記では識別情報受信装置１−１が情報処理装置７を介してサーバ４に被撮影ブックマークを送信し、関連付けられたコンテンツにアクセスする例を説明したが、本開示は係る例に限定されない。例えば、識別情報受信装置１−１は、ネットワーク５を介してサーバ４に被撮影ブックマークを送信し、関連付けられたコンテンツにアクセスしてもよい。
【０１０５】
また、ユーザ３は、被撮影ブックマークを友人、家族等の他人に渡すことで、自身が撮影されたコンテンツを他人と共有することができる。例えば、ユーザ３は、友人と共に旅行に行った日付を指定した一部の被撮影ブックマークを友人に渡すことで、旅行時のユーザ３および友人が撮影されたコンテンツを友人と共有することができる。
【０１０６】
［２−１−４．コンテンツの加工］
以上、本実施形態に係るコンテンツ管理システムによるコンテンツへのアクセスについて説明した。続いて、本実施形態に係るコンテンツ管理システムによるコンテンツの加工について説明する。上述したように、ユーザ３は、被撮影ブックマークを用いてサーバ４に記憶されているコンテンツを加工することで、プライバシーを保護することができる。
【０１０７】
具体的には、ユーザ３は情報処理装置７を介して被撮影ブックマークおよびユーザ３を特定する特定情報をサーバ４に送信し、サーバ４の通信部２５はそれらを受信する。そして、サーバ４は、被撮影ブックマークに関連付けられた画像コンテンツから、特定情報により特定される人物の顔領域を、識別性が劣化するよう加工した上で記憶部４２に記憶する。例えば、ユーザ３は、画像における自身の姿全体または顔部分等に、所定の画像を上書き、モザイク処理、ぼかし処理、または自身の姿全体の削除処理を行うことができる。このようにして、例えばユーザ３は、気に入らない表情の画像を他人に閲覧されないようにすることができる。
【０１０８】
［２−１−５．効果］
上記説明したように、本実施形態に係る自動撮影装置２はシャッターボタン押下などの操作が不要であるので、ユーザ３は、撮影の負担を負うことなく、自身が撮影されたコンテンツにアクセス、即ち取得することができる。また、自動撮影装置２は至る所に多数配置され自動で撮影するので、ユーザ３は、撮影を意識しない自然な表情や仕種、および一瞬の出来事を逸機せずにコンテンツとして取得することができる。
【０１０９】
例えば、結婚式、入学式、卒業式などの行事においては、ユーザ３は、自動撮影装置２により撮影された、大量の自身が撮影されたコンテンツを取得できる。さらに、遊園地、動物園などのレジャー施設においては、ユーザ３は、アトラクションに定点設置された設置カメラによって撮影された、アトラクション利用中のコンテンツを取得できる。また、ユーザ３は、撮影の負担を負わないので、レジャー自体を満喫することができる。
【０１１０】
また、サーバ４は、被撮影ブックマークに関連付けられたコンテンツのみを、ユーザ３に提供することができる。このため、サーバ４は、被撮影ブックマークを有さない第三者に対して、ユーザ３が撮影されたコンテンツへのアクセスを制限し、ユーザ３のプライバシーを保護することができる。ただし、ユーザ３は、被撮影ブックマークを共有することで、他人と自身が撮影されたコンテンツを共有することができる。その他にも、ユーザ３は、被撮影ブックマークを用いてサーバ４に記憶されているコンテンツを加工することで、プライバシーを保護することもできる。
【０１１１】
また、通常の設置カメラによる撮影においては、ユーザ３は例えば無線タグのような通信手段を有し、その通信手段から発信される識別情報の検出に基づいて撮影を行ってきた。そして、ユーザ３は、サーバに大量に記憶されたコンテンツから、自身の有する無線タグの識別情報に関連付けられたコンテンツを取得していた。つまり、通常のサーバは、ユーザ３を撮影したことを示す、いわば撮影ブックマークをコンテンツに関連付けて記憶していた。一方で、本開示に係る被撮影ブックマークは、識別情報受信装置１に記憶されているものであり、サーバ４は、ユーザ３を撮影したこと示す如何なる情報もコンテンツに関連付けて記憶していない。この点で、本開示は通常の場合と大きく相違する。また、サーバ４はユーザ３を撮影したことを示す情報をコンテンツに関連付けて記憶しないので、記憶部２２の容量を削減することができる。また、ユーザ３は、サーバ４にアクセスすることなく、識別情報受信装置１または情報処理装置７により自身のブックマーク情報を管理することができる。
【０１１２】
＜２−２．第２の実施形態＞
本実施形態に係るコンテンツ管理システムによれば、サーバ４は、所定の規則に基づいて優先順位を付与したコンテンツを、ユーザ３に提供することが可能である。なお、コンテンツ管理システムがコンテンツに対して優先順位を与える規則は多様に考えられる。そこで、コンテンツ管理システムによる優先順位を決定する処理を以下で例示する。
【０１１３】
［２−２−１．優先順位決定処理１］
優先順位決定部４４２は、被撮影信号を受信した際の電波強度に基づいて優先順位を決定し得る。以下、図１４を参照して、このような優先順位決定処理について説明する。
【０１１４】
図１４は、第２の実施形態に係る優先順位決定処理の一例を示す説明図である。図１４に示したように、ユーザ３が自動撮影装置２−４Ａ、２−４Ｂに撮影されると共に、識別情報受信装置１−２は自動撮影装置２−４Ａ、２−４Ｂから識別情報を含む被撮影信号を受信している。ここで、被撮影信号は電波であり、距離に応じて識別情報受信装置１−２が受信した際の電波強度が低下する。このため、識別情報受信装置１−２は、近距離に位置する自動撮影装置２−４Ａからは強い被撮影信号を、遠距離に位置する自動撮影装置２−４Ｂからは弱い被撮影信号を受信している。なお、自動撮影装置２−４Ａおよび自動撮影装置２−４Ｂを特に区別する必要がないときは、自動撮影装置２−４と総称する。
【０１１５】
識別情報受信装置１−２は、被撮影ブックマークとして、被撮影信号に含まれる識別情報、被撮影信号を受信した時刻、および識別情報受付部１３が被撮影信号を受信した際の電波強度を関連付けて、記憶部１２に記憶する。そして、識別情報受信装置１−２は、識別情報、時刻情報、および電波強度で構成される被撮影ブックマークを、ネットワーク５または情報処理装置７を介してサーバ４に送信する。
【０１１６】
その後、サーバ４において、通信部２５は電波強度を含む被撮影ブックマークを受信し、優先順位決定部４４２は、電波強度に基づいて優先順位を決定する。詳しくは、検索部４４１は、被撮影ブックマークに含まれる識別情報および時刻情報に基づいて、ユーザ３が撮影されたコンテンツを検索する。そして、優先順位決定部４４２は、検索部４４１により検索されたコンテンツに、被撮影ブックマークに含まれる電波強度に基づいて終戦順位を決定する。例えば、優先順位決定部４４２は、電波強度が強い被撮影ブックマークに関連付けられたコンテンツほど、ユーザ３に近い自動撮影装置２−４が取得したコンテンツであると判定し、高い優先順位を与える。以下、電波強度に基づく優先順位決定処理について、図１５を参照して詳細に説明する。
【０１１７】
図１５は、第２の実施形態に係るコンテンツへのアクセスの一例を示す説明図である。図１５では、電波強度を含む被撮影ブックマーク１１０および、サーバ４に記憶されているコンテンツ４００の一例を示している。
【０１１８】
図１５に示したように、被撮影ブックマーク１１１および被撮影ブックマーク１１２は、時刻１０：３０から時刻１１：００までの間で重複している。ここで、被撮影ブックマーク１１１の電波強度は、被撮影ブックマーク１１２の電波強度と比較して強い。従って、重複した時刻１０：３０から時刻１１：００までの間は、識別情報Ａに関連付けられたコンテンツがユーザ３に提供され、識別情報Ｂに関連付けられたコンテンツはユーザ３に提供されない。
【０１１９】
このため、通信部７５が電波強度を含む被撮影ブックマーク１１０をサーバ４に送信すると、サーバはコンテンツ４１１、４１２、４１３を情報処理装置７に送信し、出力部７６はこれらのコンテンツを出力する。
【０１２０】
［２−２−２．優先順位決定処理２］
優先順位決定部４４２は、自動撮影装置２の撮影範囲およびユーザ３の位置に基づいて、優先順位を決定し得る。以下、図１６を参照して、このような優先順位決定処理について説明する。
【０１２１】
図１６は、第２の実施形態に係る優先順位決定処理の一例を示す説明図である。図１６に示したように、自動撮影装置２−５Ａおよび自動撮影装置２−５Ｂは、コンテンツを撮影する撮影対象の範囲を示す範囲情報および識別情報を含む被撮影信号を、識別情報通知部２３により識別情報受信装置１−３に通知する。また、識別情報受信装置１−３は、例えば、ＧＰＳ（Ｇｌｏｂａｌ  Ｐｏｓｉｔｉｏｎｉｎｇ  Ｓｙｓｔｅｍ）衛星からの電波を受信することで、識別情報受信装置１−３の現在位置を検知する機能を有する。なお、自動撮影装置２−５Ａおよび自動撮影装置２−５Ｂを特に区別する必要がないときは、自動撮影装置２−５と総称する。
【０１２２】
識別情報受信装置１−３は、被撮影ブックマークとして、受信した被撮影信号に含まれる識別情報および範囲情報、ならびに時刻情報、時刻情報が示す時刻における識別情報受信装置１−３の位置を示す位置情報を関連付けて、記憶部１２に記憶する。そして、識別情報受信装置１−３は、識別情報、範囲情報、時刻情報、および位置情報で構成される被撮影ブックマークを、ネットワーク５または情報処理装置７を介してサーバ４に送信する。
【０１２３】
その後、サーバ４において、通信部４５は位置情報および範囲情報を含む上記被撮影ブックマークを受信し、優先順位決定部４４２は、位置情報および範囲情報に基づいて優先順位を決定する。詳しくは、優先順位決定部４４２は、同一時刻における範囲情報が示す自動撮影装置２−５の撮影範囲に、位置情報が示す識別情報受信装置１−３の位置が含まれているコンテンツに、高い優先順位を与える。そして、優先順位決定部４４２は、例えば自動撮影装置２−５の撮影範囲の中央に識別情報受信装置１−３の位置するコンテンツに、さらに高い優先順位を与えてもよい。
【０１２４】
ここで、自動撮影装置２−５の撮影範囲は、自動撮影装置２−５の位置、画角、および方向を示す情報によって定まり得る。このため、自動撮影装置２−５は、例えば、ＧＰＳ衛星からの電波を受信することで、自動撮影装置２−５の現在位置を検知する機能を有していてもよい。そして、自動撮影装置２−５は、範囲情報として、自動撮影装置２−５の位置、画角、および方向を示す情報を識別情報受信装置１−３に通知してもよい。また、自動撮影装置２−５が定点設置される場合は、サーバ４が自動撮影装置２−５の位置を管理し、自動撮影装置２−５が識別情報受信装置１−３に通知する被撮影信号には、自動撮影装置２−５の現在位置を示す情報が含まれていなくともよい。
【０１２５】
［２−２−３．優先順位決定処理３］
優先順位決定部４４２は、コンテンツに関連付けられた識別情報に基づいて優先順位を決定し得る。例えば、優先順位決定部４４２は、識別情報が示す自動撮影装置２のレンズ、イメージセンサ等に係る撮影能力に応じて、撮影能力が高い自動撮影装置２により取得されたコンテンツに、高い優先順位を決定してもよい。
【０１２６】
［２−２−４．優先順位決定処理４］
優先順位決定部４４２は、コンテンツに含まれるユーザ３の識別性に基づいて優先順位を決定し得る。例えば、コンテンツが画像である場合には、優先順位決定部４４２は、ユーザ３の顔領域の識別性が高いコンテンツに、高い優先順位を決定してもよい。他にも、優先順位決定部４４２は、ユーザ３が笑顔で撮影されているコンテンツに、高い優先順位を決定してもよい。
【０１２７】
そのために、情報処理装置７は、サーバ４による顔認識処理のための情報を、被撮影ブックマークと共にサーバ４に送信する。例えば、情報処理装置７は、ユーザ３の顔画像を送信してもよい。他にも、サーバ４の記憶部４２にユーザ３の顔画像とユーザ３を特定する特定情報が関連付けて記憶されている場合には、情報処理装置７は、特定情報をサーバ４に送信してもよい。
【０１２８】
（補足）
上記では、サーバ４において、検索部４４１が記憶部４２に記憶されたコンテンツから被撮影ブックマークに関連付けられたコンテンツを検索し、優先順位決定部４４２が優先順位を決定する例を説明したが、本開示はかかる例に限定されない。例えば、情報処理装置７の制御部７４が検索部および優先順位決定部として機能し、サーバ４の記憶部４２に記憶されたコンテンツから被撮影ブックマークに関連付けられたコンテンツを検索し、続いて優先順位を決定してもよい。
【０１２９】
［２−２−５．効果］
上記説明したように、本実施形態に係るコンテンツ管理システムは、多様な規則に基づいて優先順位を決定したコンテンツを、ユーザ３に提供することができる。従って、ユーザ３は単に自身が撮影されたコンテンツではなく、そのコンテンツの中でも特に重要度の高いコンテンツを容易に取得することができる。
【０１３０】
＜２−３．第３の実施形態＞
本実施形態に係るコンテンツ管理システムによれば、自動撮影装置２は、ユーザ３により発信されるトリガ信号（コンテンツ取得要求信号）に応じてコンテンツを取得することが可能である。
【０１３１】
図１７は、第３の実施形態に係るコンテンツ管理システムの概要を示す説明図である。図１７に示したように、ユーザ３は、トリガ信号を通知するための撮影トリガ通知装置８を把持しており、トリガ信号を受け付けた自動撮影装置２−６Ａが撮影を実行する。一方で、撮影トリガを受け付けなかった自動撮影装置２−６Ｂは、撮影を実行しない。なお、自動撮影装置２−６Ａおよび自動撮影装置２−６Ｂを特に区別する必要がないときは、自動撮影装置２−６と総称する。以下、自動撮影装置２−６の構成について図１８を参照して説明し、続いて動作処理について説明する。
【０１３２】
［２−３−１．構成］
図１８は、第３の実施形態に係る自動撮影装置２−６の構成を示すブロック図である。図１８に示したように、自動撮影装置２−６は、図３を参照して上記説明した自動撮影装置２−１と同様の構成に加え、撮影トリガ受付部２６、および同定部２７を含む。
【０１３３】
・撮影トリガ受付部
撮影トリガ受付部２６は、撮影トリガ通知装置８により通知されたトリガ信号を受け付ける。そして、撮影トリガ受付部２６がトリガ信号を受け付けた場合、撮影部２０は撮影を行う。なお、トリガ信号には、撮影トリガ通知装置８を有するユーザ３を特定する特定情報が含まれる場合がある。
【０１３４】
・同定部
同定部２７は、トリガ信号を通知した撮影トリガ通知装置８の位置を同定する。例えば、トリガ信号が指向性を有している場合、同定部２７は、撮影トリガ受付部２６が受け付けたトリガ信号の角度、信号強度等に基づいて、撮影トリガ通知装置８の位置を同定する。他にも、トリガ信号にユーザ３の顔画像を示す情報が含まれている場合、同定部２７は、撮影部２０が撮影するコンテンツを顔認識することで、ユーザ３の位置、即ち撮影トリガ通知装置８の位置を同定してもよい。ここで、ユーザ３の顔画像を示す情報とは、例えば、サーバ４にユーザ３の顔画像とユーザ３を特定する特定情報が関連付けて記憶されている場合は、特定情報を指す。
【０１３５】
［２−３−２．動作処理］
自動撮影装置２−６は、トリガ信号を受け付けた場合にユーザ３を撮影する。そのために、撮影トリガ通知装置８は、自動撮影装置２−６の撮影範囲にユーザ３が含まれることを示す情報を、自動撮影装置２−６に通知する。
【０１３６】
一例として、トリガ信号は指向性を有しており、自動撮影装置２−６は、撮影部２０の撮影範囲のみから発信されたトリガ信号を受け付けてもよい。つまり、ユーザ３により撮影トリガ通知装置８を向けた方向にトリガ信号が通知され、その方向に位置する自動撮影装置２−６であって、撮影範囲にトリガ信号の発信元が含まれる自動撮影装置２−６のみが、トリガ信号を受け付けて撮影を実行してもよい。なお、撮影トリガ通知装置８は、撮影トリガを通知する方向が視認できるような、例えばレーザーポインターなどと同様の形状を有していることが望ましい。
【０１３７】
他の一例として、自動撮影装置２−６は、同定部２７によりトリガ信号を発信した撮影トリガ通知装置８の位置を同定してもよい。そして、自動撮影装置２−６は、同定部２７により同定された位置が撮影範囲に含まれるよう、即ち撮影部２０が撮影するコンテンツにユーザ３が含まれるよう、撮影部２０の方向や画角等を変更してもよい。
【０１３８】
（補足）
なお、撮影トリガ通知装置８は、識別情報受信装置１−４と一体的に構成されていてもよい。即ち、図１９に示すように、識別情報受信装置１−４は、図４を参照して上記説明した識別情報受信装置１−１と同様の構成に加え、撮影トリガ通知装置８と同様に、トリガ信号を通知する機能を有する撮影トリガ通知部１６を含んでいてもよい。
【０１３９】
［２−３−３．効果］
上記説明したように、本実施形態に係る自動撮影装置２−６は、トリガ信号を受信した場合にコンテンツを取得することができる。このため、自動撮影装置２−６は、ユーザ３が撮影されたいタイミングで、コンテンツを取得することができる。また、トリガ信号に指向性がある場合、撮影範囲にトリガ信号の発信元が含まれる自動撮影装置２−６が撮影するので、ユーザ３は相対する自動撮影装置２−６により撮影される。つまり、ユーザ３は、例えば背景に収めたい風景を背にして正面方向にトリガ信号を発信することで、所望の背景でユーザ３が撮影されたコンテンツを取得することができる。
【０１４０】
また、ユーザ３は撮影されたい地点でトリガ信号を発信するので、自動撮影装置２−６の設置者は、トリガ信号を多く受信した自動撮影装置２−６の位置が、ユーザ３に人気の高い地点である、と容易に知得することができる。このため、自動撮影装置２−６の設置者は、人気の高い地点により多くの自動撮影装置２−６を設置したり、撮影能力の高い自動撮影装置２−６を設置したりすることができる。
【０１４１】
＜２−４．第４の実施形態＞
［２−４−１．概要］
本実施形態に係るコンテンツ管理システムによれば、サーバ４は、複数の規則に基づいて優先順位を付与した複数のコンテンツを、ユーザ３に提供することが可能である。
【０１４２】
図２０は、第４の実施形態に係るコンテンツ管理システムの概要を示す説明図である。図２０に示したように、ユーザ３が自動撮影装置２−１Ａ、２−１Ｂに撮影されると共に、識別情報受信装置１−１は自動撮影装置２−１Ａ、２−１Ｂより識別情報を含む被撮影信号を受信している。ここで、自動撮影装置２−１Ａはユーザ３から近距離であるものの背面に位置し、自動撮影装置２−１Ｂはユーザ３から遠距離にあるものの正面に位置している。このため、自動撮影装置２−１Ａにより撮影される映像はユーザ３の背面の映像ではあるが、近距離であるため収音される音声は鮮明である。一方、自動撮影装置２−１Ｂにより撮影される映像はユーザ３の正面の映像ではあるが、遠距離であるため集音される音声は不鮮明である。
【０１４３】
そこで、優先順位決定部４４２は、コンテンツに対して、複数の規則に基づいた優先順位を複数決定する。具体的には、例えば優先順位決定部４４２は、ユーザ３の正面を捉えた映像コンテンツに高い優先順位を決定すると共に、ユーザ３の音声が鮮明である音声コンテンツに高い優先順位を決定する。つまり、優先順位決定部４４２は、動撮影装置２−１Ｂにより撮影された映像に高い優先順位、収音された音声に低い優先順位を決定し、自動撮影装置２−１Ａにより撮影された映像に低い優先順位、収音された音声に高い優先順位を決定する。なお、ユーザ３の音声が鮮明であるか否かは、自動撮影装置２−１とユーザ３との距離、コンテンツの音声に含まれる風切り音などのノイズ成分の強弱、または話者認識技術によるユーザ３の音声成分の強弱により判定されてもよい。
【０１４４】
そして、サーバ４は、複数の優先順位に基づいてコンテンツをユーザ３に提供する。即ち、自動撮影装置２−１Ｂにより撮影された映像、および自動撮影装置２−１Ａにより収音された音声を、情報処理装置７または識別情報受信装置１−１に送信する。このとき、例えばサーバ４は、自動撮影装置２−１Ｂにより撮影された映像、および自動撮影装置２−１Ａにより収音された音声を合成したコンテンツを、新たに生成してユーザ３に提供してもよい。
【０１４５】
なお、上記では、コンテンツ管理システムのコンテンツ取得装置の一例として、撮影部２０およびマイク２１を含む自動撮影装置２−１を有すると説明したが、本開示はかかる例に限定されない。例えば、コンテンツ管理システムは、撮影部２０を有するカメラ、およびマイク２１を有する録音装置をそれぞれ有していてもよい。そして、本実施形態に係るコンテンツ管理システムは、カメラにより撮影された映像または画像コンテンツ、および録音装置により録音された音声について、それぞれ異なる規則に基づいて優先順位を決定してもよい。例えば、定点設置されるカメラにより撮影された映像と、ユーザ３が有するスマートフォンや装着されるピンマイク等により収音された音声とが、サーバ４で合成処理されユーザ３に提供されてもよい。
【０１４６】
［２−４−２．効果］
上記説明したように、本実施形態に係るコンテンツ管理システムは、複数の規則に基づいて優先順位を付与した複数のコンテンツを、ユーザ３に提供することができる。このため、コンテンツ管理システムは、複数の自動撮影装置２により取得されたコンテンツから良い部分だけを一部取り出して、ユーザ３に提供することができる。例えば、上記説明したように、ユーザ３の正面を撮影した映像と、ユーザ３を近距離から収音した音声を、ユーザ３に提供することができる。他にも、例えばユーザ３を複数の角度から捉えた映像や、遠距離から撮影された全体映像と近距離から撮影された部分的な映像とを、ユーザ３に提供することができる。
【０１４７】
＜＜３．まとめ＞＞
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１４８】
例えば、上記実施形態では、コンテンツを取得した時刻（時刻情報）は、識別情報受信装置１が被撮影信号を受信した時刻、およびサーバ４がコンテンツを受信した時刻であると説明したが、本技術はかかる例に限定されない。例えば、自動撮影装置２は、コンテンツを取得した時刻（時刻情報）を被撮影信号に含めて通知し、且つサーバ４に時刻情報を関連付けたコンテンツを送信してもよい。この場合、被撮影ブックマークに含まれる時刻情報およびサーバ４に記憶されるコンテンツに関連付けられた時刻情報に、差異が生じることが無い。
【０１４９】
なお、以下のような構成も本開示の技術的範囲に属する。
（１）
コンテンツを取得するコンテンツ取得部と、
前記コンテンツ取得部により取得されたコンテンツおよびコンテンツ取得装置固有の識別情報を外部に送信する送信部と、
を備え、
前記送信部により送信された前記コンテンツおよび前記識別情報は、前記コンテンツ取得部により前記コンテンツが取得された時刻を示す時刻情報と関連付けられてサーバが有する記憶部に記憶され、当該サーバが、情報処理装置から前記識別情報および前記時刻情報を受信した場合に、前記記憶部に記憶された前記コンテンツから、受信した前記識別情報および前記時刻情報に関連付けられたコンテンツを検索して前記情報処理装置に送信する際に参照される、コンテンツ取得装置。
（２）
前記送信部は、前記コンテンツおよび前記識別情報を前記サーバに送信する、前記（１）に記載のコンテンツ取得装置。
（３）
前記送信部は、前記コンテンツ、前記識別情報および前記時刻情報を他の通信装置を介して前記サーバに送信する、前記（１）に記載のコンテンツ取得装置。
（４）
前記コンテンツ取得装置は、前記識別情報を周辺に位置する携帯装置に通知する通知部をさらに備える、前記（１）〜（３）のいずれか一項に記載のコンテンツ取得装置。
（５）
前記通知部は、前記コンテンツ取得部が前記コンテンツを取得する対象範囲を示す範囲情報を前記携帯装置に通知する、前記（４）に記載のコンテンツ取得装置。
（６）
前記コンテンツ取得装置は、前記携帯装置から通知されたコンテンツ取得要求信号を受け付ける受付部をさらに備え、
前記コンテンツ取得部は、前記受付部により前記コンテンツ取得要求信号を受け付けた場合に前記コンテンツを取得する、前記（４）または（５）に記載のコンテンツ取得装置。
（７）
前記コンテンツ取得装置は、前記コンテンツ取得要求信号を通知した携帯装置の位置を同定する同定部をさらに備え、
前記コンテンツ取得部は、前記同定部により同定された前記携帯装置の位置に応じて前記コンテンツを取得する対象範囲を変更する、前記（６）に記載のコンテンツ取得装置。
（８）
コンテンツ取得装置から前記コンテンツ取得装置固有の識別情報を受け付ける受付部と、
前記受付部により受け付けた前記識別情報、および前記コンテンツ取得装置によりコンテンツが取得された時刻を示す時刻情報を関連付けて記憶媒体に記憶する記憶制御部と、
外部との通信を行う通信部と、
を備える携帯装置。
（９）
前記通信部は、前記記憶媒体に記憶された前記識別情報および前記時刻情報を他の情報処理装置を介してサーバに送信し、
前記識別情報および前記時刻情報は、前記サーバが、前記サーバが有する記憶部に記憶された前記コンテンツから、前記他の情報処理装置を介して受信した前記識別情報および前記時刻情報に関連付けられたコンテンツを検索して前記情報処理装置に送信する際に参照される、前記（８）に記載の携帯装置。
（１０）
前記通信部は、前記記憶媒体に記憶された前記識別情報および前記時刻情報をサーバに送信し、前記サーバが有する記憶部に記憶された前記コンテンツのうち、送信した前記識別情報および前記時刻情報に関連付けられたコンテンツを前記サーバより受信する、前記（８）に記載の携帯装置。
（１１）
前記携帯装置は、前記コンテンツ取得装置に前記コンテンツの取得を要求するコンテンツ取得要求信号を通知する通知部をさらに備える、前記（８）〜（１０）のいずれか一項に記載の携帯装置。
（１２）
前記コンテンツ取得装置は周辺に位置する前記携帯装置に電波により前記識別情報を通知し、
前記記憶制御部は、前記識別情報、前記時刻情報、および前記受付部により前記識別情報を受け付けた際の電波強度を関連付けて前記記憶媒体に記憶させ、
前記通信部は、前記記憶媒体に記憶された前記識別情報、前記時刻情報、および前記電波強度を外部に送信する、前記（８）〜（１１）のいずれか一項に記載の携帯装置。
（１３）
コンテンツ取得装置により取得されたコンテンツと、前記コンテンツ取得装置固有の識別情報とを前記コンテンツ取得装置から受信する通信部と、
前記コンテンツ、前記識別情報、および前記コンテンツ取得装置により前記コンテンツが取得された時刻を示す時刻情報を関連付けて記憶する記憶部と、
前記通信部が情報処理装置から前記識別情報および前記時刻情報を受信した場合に、前記記憶部に記憶された前記コンテンツから、受信した前記識別情報および前記時刻情報に関連付けられたコンテンツを検索する検索部と、
前記検索部により検索されたコンテンツを前記情報処理装置に送信するよう前記通信部を制御する通信制御部と、
を備えるサーバ。
（１４）
前記サーバは、所定の規則に基づいて前記検索部により検索されたコンテンツの優先順位を決定する優先順位決定部をさらに備え、
前記通信制御部は、前記優先順位決定部により決定された優先順位に基づいて前記コンテンツを前記情報処理装置に送信するよう前記通信部を制御する、前記（１３）に記載のサーバ。
（１５）
前記優先順位決定部は、前記所定の規則として、前記コンテンツに関連付けられた前記識別情報に基づいて前記優先順位を決定する、前記（１４）に記載のサーバ。
（１６）
前記コンテンツは画像であり、
前記通信部は、前記情報処理装置から人物を特定する特定情報を受信し、
前記優先順位決定部は、前記所定の規則として、前記コンテンツに含まれる前記特定情報により特定される人物の顔領域の識別性に基づいて前記優先順位を決定する、前記（１４）または（１５）に記載のサーバ。
（１７）
情報処理装置から、前記時刻情報が示す時刻における携帯装置の位置を示す位置情報、および前記コンテンツ取得装置が前記コンテンツを取得した際の取得対象の範囲を示す範囲情報を受信し、
前記優先順位決定部は、前記所定の規則として、前記位置情報および前記範囲情報に基づいて前記優先順位を決定する、前記（１４）〜（１６）のいずれか一項に記載のサーバ。
（１８）
前記コンテンツ取得装置は周辺に位置する携帯装置に電波により前記識別情報を通知し、
前記通信部は、前記情報処理装置から前記携帯装置が前記識別情報を受け付けた際の電波強度を受信し、
前記優先順位決定部は、前記所定の規則として、前記電波強度に基づいて前記優先順位を決定する、前記（１４）〜（１７）のいずれか一項に記載のサーバ。
（１９）
前記優先順位決定部は、複数の前記所定の規則に基づいて前記コンテンツの優先順位を複数決定する、前記（１４）〜（１８）のいずれか一項に記載のサーバ。
（２０）
前記サーバは、前記記憶部に記憶されたコンテンツを加工するコンテンツ加工部をさらに備え、
前記コンテンツは画像であり、
前記通信部は、前記情報処理装置から人物を特定する特定情報を受信し、
前記コンテンツ加工部は、前記通信部により受信した前記識別情報および前記時刻情報に関連付けられた前記コンテンツに含まれる、前記特定情報により特定される人物の顔領域を、識別性が劣化するよう加工する、前記（１３）〜（１９）のいずれか一項に記載のサーバ。
（２１）
コンテンツ取得装置固有の識別情報および前記コンテンツ取得装置によりコンテンツが取得された時刻を示す時刻情報をサーバに送信し、前記サーバより前記識別情報および前記時刻情報に関連付けられたコンテンツを受信する通信部と、
前記通信部により前記サーバから受信した前記識別情報および前記時刻情報に関連付けられたコンテンツを出力するよう制御する出力制御部と、
を備える情報処理装置。
（２２）
前記情報処理装置は、
前記サーバが有する記憶部に記憶された前記コンテンツから、前記識別情報および前記時刻情報に関連付けられたコンテンツを検索する検索部と、
所定の規則に基づいて前記検索部により検索されたコンテンツの優先順位を決定する優先順位決定部と、
をさらに備え、
前記通信部は、前記優先順位決定部により決定された優先順位に基づいて前記コンテンツを受信する、前記（２１）に記載の情報処理装置。
（２３）
コンピュータに、
コンテンツ取得装置固有の識別情報および前記コンテンツ取得装置によりコンテンツが取得された時刻を示す時刻情報をサーバに送信し、前記サーバより前記識別情報および前記時刻情報に関連付けられたコンテンツを受信すること、
前記サーバから受信した前記識別情報および前記時刻情報に関連付けられたコンテンツを出力するよう制御すること、
を実行させるためのプログラムが記憶された記憶媒体。
【符号の説明】
【０１５０】
１、１−１、１−２、１−３、１−４  識別情報受信装置
１０    時刻取得部
１２    記憶部
１３    識別情報受付部
１４    制御部
１５    通信部
１６    撮影トリガ通知部
１９    バス
２、２−１、２−２、２−３、２−４、２−５、２−６  自動撮影装置
２０    撮影部
２１    マイク
２２    記憶部
２３    識別情報通知部
２４    制御部
２５    通信部
２６    撮影トリガ受付部
２７    同定部
２９    バス
３      ユーザ
４      サーバ
４０    時刻取得部
４２    記憶部
４４    制御部
４４１  検索部
４４２  優先順位決定部
４４３  コンテンツ加工部
４４４  通信制御部
４５    通信部
４９    バス
５      ネットワーク
６      通信装置
７      情報処理装置
７２    記憶部
７４    制御部
７５    通信部
７６    出力部
７９    バス
８      撮影トリガ通知装置
【図１】
2014054342.tif 000003
【図２】
2014054342.tif 000004
【図３】
2014054342.tif 000005
【図４】
2014054342.tif 000006
【図５】
2014054342.tif 000007
【図６】
2014054342.tif 000008
【図７】
2014054342.tif 000009
【図８】
2014054342.tif 000010
【図９】
2014054342.tif 000011
【図１０】
2014054342.tif 000012
【図１１】
2014054342.tif 000013
【図１２】
2014054342.tif 000014
【図１３】
2014054342.tif 000015
【図１４】
2014054342.tif 000016
【図１５】
2014054342.tif 000017
【図１６】
2014054342.tif 000018
【図１７】
2014054342.tif 000019
【図１８】
2014054342.tif 000020
【図１９】
2014054342.tif 000021
【図２０】
2014054342.tif 000022
【国際調査報告】
2014054342.tif 000023
2014054342.tif 000024
2014054342.tif 000025
2014054342.tif 000026